(57)【要約】【課題】メダル作動式装置において、使用しないメダル投入口を塞ぐためにメダル投入口の開口部を取り外したり、粘着テープで塞いだり、あるいは開口部を傷つけることのない、しかも容易に取り外しができないメダル投入口のメダル投入阻止部材を提供することにある。【解決手段】メダル作動式装置のメダル投入口５に投入されるメダル幅より幅広な頭部２１と、該メダル投入口に挿通され該メダル投入口の排出口１２より突出する前記頭部に連接する脚部２３と、該排出口１２より突出した脚部２３に設けた該排出口の下端に係留可能な係留部２５とを有するメダル投入阻止構造体。【選択図】図５
2006314413.tif 000002
【特許請求の範囲】
【請求項１】
メダル作動式装置のメダル投入口に投入されるメダル幅より幅広な頭部と、
該メダル投入口に挿通され該メダル投入口の排出口より突出する前記頭部に連接する脚部と、
該排出口より突出した脚部に設けた該排出口の下端に係留可能な係留部と、
を有するメダル投入阻止構造体。
【請求項２】
請求項１において、脚部は少なくとも一対の脚部を有し、両脚の幅はメダル投入口のメダル幅であることを特徴とするメダル投入阻止構造体。
【請求項３】
請求項１において、脚部に設けた係留部はメダル幅の排出口の下端で外方に突出した突出部を有することを特徴とするメダル投入阻止構造体。
【請求項４】
請求項１乃至３において、脚部の弾性変形により、係留部をメダル投入口に当接させて挿入し、係留部がメダル排出口に至った後に弾性変形が解除され、該メダル投入口の排出口の下端に係留部が係留されることを特徴とするメダル投入阻止構造体。
【請求項５】
請求項１において、係留部は脚部に設けた孔にメダル投入口の排出口の厚さ幅より長い棒体を設けたことを特徴とするメダル投入阻止構造体。
【請求項６】
請求項１乃至４のいずれか１項において、頭部には表示部を有することを特徴とするメダル投入阻止構造体。
【請求項７】
請求項１乃至６のいずれか１項に記載のメダル投入阻止構造体をメダル投入口に嵌め込んだメダル作動式装置。
【発明の詳細な説明】
【技術分野】
【０００１】
本発明は、複数のメダル投入口が設けられたメダル作動式装置において、使用しないメダル投入口を塞ぐメダル投入阻止構造体に関する。
【背景技術】
【０００２】
従来、パチスロと称される回動遊技機は、わが国では風俗営業法で定められている７号営業とされるパチンコ店において営業されるのが通常であり、メダルを買い求めるか、対価を記録したカードを買い求めパチスロ機を遊技した結果、得られたメダルは最終的には景品と交換することができるシステムとなっており、１８才以上の年齢の者が顧客の対象となっている。
他方、風俗営業法で８号営業とされるゲームセンター等においては、メダルコーナでは７号営業でも人気のあるパチスロと称される回動遊技機が導入されているが、この場合は増えたメダルは換金できないシステムとなっており、あくまでも純粋な娯楽となっており、その分、年齢制限はないのである。
【０００３】
その代り８号営業では、メダルではなく、硬貨を用いて遊技を楽しむ営業が通常である。この８号営業の運営形態は２種類あり、店舗の運営方法により、メダルのみを使用して遊技を行うことができる場合や、硬貨（１００円玉等）のみ使用して遊技を行うことができる場合がある。
これはその店舗の事情により、メダル遊技機のコーナがある場合ではメダルの使用が可能であるが、そうしたコーナがない場合では、硬貨での使用となるのである。
【０００４】
図１には、硬貨での使用の場合の回動遊技機を組み込んだ筐体の正面図を示している。縦長の筐体１の正面右寄りには人が座った状態で硬貨を投入することができる位置に硬貨投入口２が設けてある。そして筐体には回動遊技機３が組み込まれている。  
筐体1に硬貨投入口２を別に設けて、この硬貨投入口２に硬貨を投入して遊技をさせる。そのため回動遊技機の正面のベース体４に従前から備えてあったメダル投入口５は使用しないために、メダル投入口５を取り外し、その部分に「メダルは使用できません」と表示板を貼ったり、あるいはメダル投入口はそのままとして、投入口そのものに粘着テープや、接着剤、金属、厚紙製の塞ぎ部材をはめ込んで塞いでいるのであった。
【０００５】
従前、硬貨投入口を塞ぐカバーとして、公衆電話の硬貨投入口を塞ぐカバーがある（例えば特許文献１参照。）。
これは透明覆蓋の一側に取付片を軸着し、この取付片を機器本体に突出し、硬貨投入口を開口させた突出部の周壁に嵌着固定し前記覆ふたに介装したばねによりこれを常時前記硬貨投入口に被嵌する方向に廻動させるようにした電話器等の硬貨投入口カバーである。
【特許文献１】実公昭４８−３０２３７号公報（第１頁、図１）
【発明の開示】
【発明が解決しようとする課題】
【０００６】
従前、見えられる回動遊技機のメダル投入口を取り外し、その部分に「メダルは使用できません」と表示板を貼るのは、改造となり、本来の回動遊技機メーカの保障を得られなくなる可能性がある。また、メダル投入口に接着剤を流しこみ固めるのでは、見た目も見苦しく、さらに金属の塞ぎ部材では、開口部を傷つけることになりかねず、また厚紙製の塞ぎ部材では容易に取り外されかねないのであった。粘着テープをメダル投入口に貼るのでは、見た目もよくなく、剥がそうとすると剥がれてしまうのであった。
そこで本願では、こうした問題を解決すべくメダル投入口の開口部を取り外すことなく、あるいはメダル投入口に粘着テープを貼ったり、また金属の塞ぎ部材のように開口部を傷つけることのない、しかも容易に取り外しができないメダル投入口のメダル投入阻止部材を提供することにある。
【課題を解決するための手段】
【０００７】
本願発明によれば上記課題を解決するために、ゲームセンターで運営される回動遊技機等のメダル作動式装置のメダル投入口に投入されるメダル幅より幅広な頭部と、該メダル投入口に挿通され該メダル投入口の排出口より突出する前記頭部に連接する脚部と、該排出口より突出した脚部に設けた該排出口の下端に係留可能な係留部と、を有するメダル投入阻止構造体としてある。
【０００８】
これにより、本願のメダル投入阻止構造体をメダル投入口に係留部側から挿入し、メダル投入口の排出口に至らせて係留部を排出口の下端に係留させることで、メダル投入口を塞ぐことができるのである。
【０００９】
本願発明によれば上記課題を解決するために、上記発明において、脚部は少なくとも一対の脚部を有し、両脚の幅はメダル投入口のメダル幅であるメダル投入阻止構造体としてある。
これにより、メダル投入口に一対の脚部を挿入することで、脚部に設けた係留部がメダル投入口の幅で弾性変形して挿通され、排出口から係留部が突出後は、脚部の弾性変形が戻り排出口の下端に係留部が係留するのである。
【００１０】
本願発明によれば上記課題を解決するために、上記発明において、脚部に設けた係留部はメダル幅の排出口の下端で外方に突出した突出部を有するメダル投入阻止構造体としてある。
これにより、メダル投入口に脚部を挿入することで、脚部に設けた係留部がメダル幅の排出口の下端で外方に突出した突出部でメダル投入口に固定されるのである。
【００１１】
本願発明によれば上記課題を解決するために、上記のいずれか１つの発明において、  脚部の弾性変形により、係留部(係止部)をメダル投入口に当接させて挿入し、係留部がメダル排出口に至った後に弾性変形が解除され、該メダル投入口の排出口の下端に係留部が係留されるメダル投入阻止構造体としてある。
これにより、脚部の弾性変形により、係留部をメダル投入口に挿入して、係留部がメダル排出口から出た後は、弾性変形が戻り、排出口の下端に係留部が係留されるのである。
【００１２】
本願発明によれば上記課題を解決するために、上記発明において、係留部は脚部に設けた孔にメダル投入口の排出口の厚さ幅より長い螺子やピン等の棒体を設けたメダル投入阻止構造体としてある。
これにより、脚部をメダル投入口に挿入した後に脚部に設けた孔に螺子やピンを取り付け、排出口の下端に掛け渡すことで、抜き取れないのである。
【００１３】
本願発明によれば上記課題を解決するために、メダル投入塞ぎ構造体の頭部にはメダルは使えない旨を表示する印刷やシール貼り付け等による表示部を有するメダル投入阻止構造体としてある。
これにより、遊技者が見える部分の頭部にはメダルが使えない旨が表示されるので、遊技者は迷うことがないのである。
【００１４】
本願発明によれば上記課題を解決するために、上記発明のメダル投入阻止構造体をメダル投入口に嵌め込んだパチスロ機等のメダル作動式装置としてある。
これにより、パチスロ機などのメダル作動式装置を本体のメダル投入口にメダル投入を行わないで運営を行う際に、まぎらわしくない運営ができる。
【発明の効果】
【００１５】
本願では、回動遊技機のメダル投入口を塞ぐのに開口部を取り外すことなく、また開口部を傷つけることのなく、しかも容易に取り外しができないメダル投入口のメダル投入阻止部材を提供することにある。
そして、なによりも見苦しい塞ぎ方でないので、店舗側としてはスマートな対応であり、しかも塞ぐのに時間がかからないのである。また取り外す際にも回動遊技機の内部から容易に外すことが可能となるのである。
【発明を実施するための最良の形態】
【００１６】
本願実施例を図面に基づき詳細に説明する。なお以下の説明では、４つのメダル阻止部材の実施例を示している。
【実施例１】
【００１７】
以下、本発明の実施の形態を図面に基づいて説明する。図１はメダル投入阻止部材が用いられる８号営業に用いる回動遊技機の筐体を含む正面図を示す。この縦長の筐体１の正面右寄りには人が座った状態で硬貨を投入することができる位置に硬貨投入口２が設けてある。そして筐体には回動遊技機３が組み込まれている。  
本回動遊技機３を遊技するには、遊技者が硬貨投入口２に硬貨（１００円）を投入することにより、遊技することが可能となっている。投入した硬貨に対し、メダル数枚が対応しており、その投入硬貨に見合うメダルが投入されたことになり、図示しないクレジット表示部に表示され、そのメダル数分の遊技をすることができる。
そのため、本発明では、回動遊技機３の前面側部に取り付けられるベース体４に本来取り付けられているメダル投入口５は使用しない。
【００１８】
図２には回動遊技機のメダル投入口の正面図を示し、図３は同メダル投入口の中央側面断面図を示す。メダル投入口５には、半円形状の背壁６が起立し、該背壁６から手前下向きに傾斜になったU字底のガイド部７が前傾斜壁８に向けて設けてある。ガイド部のＵ字の横幅は使用されるメダル幅より多少広くなっている。前傾斜壁８の下方は鍔状の台座部９となっている。
【００１９】
図３に示す如く、背壁６の前面には前傾斜壁８に直角な前下がりに傾斜している縁体のガイド部７が形成され、手前側の前傾斜壁８との間にメダルＣ１、Ｃ２、Ｃ３、Ｃ５、・・と多数のメダルを傾斜に沿って斜め上方向にメダルの円周部をガイド部７にあてがい並べることができる。そして、投入するメダルをガイド部７に入れて前傾斜壁８に宛がわれる。メダル投入口５は鍔状の台座部９の底面が回動遊技機のベース体４に密着している。
【００２０】
遊技者は手でメダルＣ１を背壁６側に押し出すことで、メダルＣ１が背壁６の方向に押し出され、背壁６に沿って手前側には奥行きがメダル一枚の厚み分より多少あり、幅がメダル幅より多少広い開口１０があり、その開口１０に連なるメダル通路１１に一枚ずつメダルが落下し排出口１２から排出するようになっている。ガイド部７は開口１０の上部で背壁６に沿ってＹ字状に上方が扇状に広がった幅広部７ａとなっている。はメダル通路１１はベース体７に開いた図示しない開口に挿通され、メダル通路の両脇に設けた長孔１３、１３にてベース体４に台座部９を密着してネジで固定される。
メダル投入口５は、回動遊技機のベース体４に設けた図示しない開口に上方からメダルが落下するメダル通路１１をベース体の開口に挿入し、台座部７を固定している。メダル通路の下側は水平な切り口の排出口１２となっており、図示しないメダルセレクタへとメダルが落下していく構造となっている。
【００２１】
図４には本願のメダル投入阻止部材の実施例１を示し、（Ａ）は正面図であり、（Ｂ）は側面図である。メダル投入阻止部材２０は、硬質樹脂製で背壁６の全域を覆い開口１０に至る扇状の頭部２１からメダル通路１１の左右幅に沿って両側が先細になっており首部２２から左右の脚板２３が延び、脚板の長さは排出口より多少下側に至り、両脚板は排出口の左右下側に係留される係留部２４を有している。係留部２４は左右外側が下方に向けて内側に斜めに形成された先細部２５を有している。メダル投入阻止部材は硬質樹脂製であり例えばアクリル板などで形成され厚さは略メダル通路内側の厚である。頭部２１には印刷あるいは裏面に張られたシールにより、「メダルは投入できません」と表示されている。
【００２２】
図５にはメダル投入阻止部材を取り付けたメダル投入口の透過正面図を示す。メダル投入阻止部材２０はメダル投入口の開口１０から背壁６に沿って脚部２３側から挿入する。すると、先細部２５がガイド部の幅広部７ａに沿って内側に弾性変形して開口１０に挿入される。これによりメダル通路１１を両脚部２３が内側に弾性変形したまま挿通され排出口１２に至る。係留部24が排出口１２から出ると、弾性変形が戻り、排出口の下端に係留部が係留される。このときには首部２２がガイド部の幅広部７ａに密接する。これにより、メダル投入阻止部材がメダル通路を塞ぐのである。
そして、メダル投入阻止部材の頭部には「メダルは投入できません」と表示されており、遊技者はこのメダル投入口にメダルを投入することができないことが理解できる。そしてメダル投入阻止部材の頭部を持って抜き取ろうとしても係留部が排出口の下端に係留されており、抜き取ることはできない。
メダル投入阻止部材を抜き取るには、回動遊技機のドアを上げて内側から両係留部２４を内側に付勢して弾性変形させて、係留部を押し上げて抜かねばならないのである。
【実施例２】
【００２３】
図６には、メダル投入阻止部材の実施例２を示し、（Ａ）は正面図であり、（Ｂ）は側面図である。メダル投入阻止部材３０は、硬質樹脂製で背壁６の全域を覆い開口１０に至る扇状の頭部３１からメダル通路１１の左右幅に沿って両側が先細になっており首部３２から左右の脚板３３が延びている。両脚板３３は排出口の左右下側に係留される係留部３４を有している。係留部３４は左右外側が下方に向けて内側に斜めに形成された先細部３５有している。両脚板３３の長さは排出口１２より長く下端で両脚板３３が横板３６で連接されている。
メダル投入阻止部材３０は硬質樹脂製であり例えばアクリル板などで形成され厚さは略メダル通路内側の厚である。頭部３１には印刷あるいは裏面に張られたシールにより、「メダルは投入できません」と表示されている。
【００２４】
この実施例２では、両脚板３３の下側が横板３６で連接していることで、メダル投入口に挿入する際に頭部３１及び横板３６は弾性変形せずに両脚板３３同士が先細部３５が開口に挿入する際に内側に弾性変形し、メダル通路に挿通され、係留部３４が排出口１２の下端に出ると両脚板３３の内側への弾性変形が戻り、より強固に排出口１２に係留され、頭部を持って上側に引き抜こうとしても容易には抜き取ることができない。取り外すには回動遊技機のドアを上げて内側から両係留部３４を内側に付勢して弾性変形させて、係留部を押し上げて抜かねばならないのである。
【実施例３】
【００２５】
図７には、メダル投入阻止部材の実施例３を示し、（Ａ）は正面図であり、（Ｂ）は側面図である。図８はメダル投入口に実施例３のメダル阻止部材を取り付けた縦断面図を示している。メダル投入阻止部材４０は、硬質樹脂製で背壁６の全域を覆い開口１０に至る扇状の頭部４１からメダル通路１１の左右幅に沿って両側が先細になっており首部４２から左右の脚板４３が延びている。両脚板３３は排出口の左右下側に係留される係留部３４を有している。係留部３４は左右外側が下方に向けて内側に斜めに形成された先細部４５有している。
さらに首部４２の中央から両脚４３部とは隙間を有して下方に長方形状に延出板４６が延び、長さは脚板４３より長くなっており、延出板４６の下端近くに斜上方に向けて係止片４７を有している。係止片は延出板の上方から下方向に向けてコの字状に切り込んだ係止片４７となっており、手前側に向けて斜上方に付勢して曲げられ、係止片４７の上端は排出口１２の下端に係止される位置となっている。
【００２６】
メダル投入阻止部材４０はメダル投入口５の開口１０から背壁に沿って脚部４３側から挿入する。すると、先細部４５がガイド部の幅広部７ａに沿って内側に弾性変形して開口１０に挿入される。これによりメダル通路１１を両脚部４３が内側に弾性変形したまま挿通され排出口１２に至る。同時に延出板の係止片４７がメダル通路の内側の厚み幅に弾性変形しながらメダル通路内を排出口１２に至る。
係留部４４及び係止片４７が排出口１２から出ると、弾性変形が戻り、排出口１２の下端に係留部４４が係留されるとともに係止片４７が係止される。このときには首部４２がガイド部の幅広部７ａに密接する。これにより、メダル投入阻止部材がメダル通路を塞ぐのである。
【００２７】
メダル投入阻止部材４０は硬質樹脂製であり例えばアクリル板や、セルロイド板などで形成され、厚さは略メダル通路内側の厚である。頭部４１には印刷あるいは裏面に張られたシールにより、「メダルは投入できません」と表示されている。
この実施例３では、両脚板４３の係留部４４がメダル通路の両端に係留するとともに、延出板の係止片４７がメダル通路の排出口に係止されるので、より強固に抜き取りが困難になる。取り外すには回動遊技機のドアを上げて内側から両係留部３４を内側に付勢して弾性変形させて、係留部を押し上げて抜かねばならないのである。この場合に係止片４７はメダル投入口の前傾斜壁８とは反対側に突出しているほうが、取り外し時に係止片４７を押しやすい。
【実施例４】
【００２８】
図９にはメダル投入阻止部材の実施例４を示し、（Ａ）は正面図であり、（Ｂ）は側面図である。図１０はメダル投入口に実施例４のメダル阻止部材を取り付けた縦断面図を示している。メダル投入阻止部材５０は、硬質樹脂製で背壁６の全域を覆い開口１０に至る扇状の頭部５１からメダル通路１１の左右幅に沿って両側が先細になっており首部５２から下方に長方形状に脚板５３が延びている。脚板５３は排出口１２の下方に突出している。脚板の下寄りの両側には排出口１２の下端に係留される係留部５４を有している。係留部５４は下方に向けて内側に斜めに形成された先細部５５有している。
さらに脚部中央の下側にはねじ穴５６が開口しておりねじ孔の上側は排出口１２の下端位置となっている。
【００２９】
メダル投入阻止部材５０はメダル投入口５の開口１０から背壁に沿って脚部５３側から挿入する。すると、先細部５５がガイド部の幅広部７ａに沿って内側に変形して脚部５３全体で弾性変形し、開口１０に挿入される。これによりメダル通路１１を脚部５３が内側に弾性変形したまま挿通され排出口１２に至る。
係留部５４が排出口１２から出ると、弾性変形が戻り、排出口１２の下端に係留部５４が係留される。このときには首部５２がガイド部の幅広部７ａに密接する。これにより、メダル投入阻止部材がメダル通路を塞ぐのである。
メダル投入阻止部材５０は硬質樹脂製であり例えばアクリル板などで形成され厚さは略メダル通路内側の厚である。頭部５１には印刷あるいは裏面に張られたシールにより、「メダルは投入できません」と表示されている。
この実施例４では、脚板５３の係留部５４が排出口の両端に係留するとともに、さらにより強固にするためにねじ孔に螺子５７を螺挿することで、（Ｂ）に示すごとく、排出口１２の内側の厚み幅を完全に横断し、もはや上方向には抜き取ることは出来ないのである。この場合に螺子５７はメダル投入口の前傾斜壁８とは反対側に突出しているほうが、取り外し時に螺子５７を回しやすい。
取り外すには回動遊技機のドアを上げて内側から螺子５７を外し、両係留部５４を内側に付勢して弾性変形させて、係留部を押し上げて抜かねばならないのである。
勿論、螺子５７の代わりにピンを穴５６に圧入してもよい。要するに、排出口１２に対し棒状の閂となればよい。
【００３０】
以上、本願のメダル投入阻止部材は硬質樹脂製であるから、いろんな色を用意することができ、カラフルにすることができる。またシールをお店に合わせて用意することで、お店の名前を入れることも可能である。「メダルは投入できません」の頭部への表示は、文字以外にも例えば×印等の記号でもよい。また、メダル投入阻止部材の頭部はメダル投入口の開口から内部に落下しないように上部がフランジ状になっていればよい。
【００３１】
上述の通り本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００３２】
【図１】メダル投入阻止部材が用いられる８号営業に用いる回動遊技機の筐体を含む正面図である。
【図２】回動遊技機のメダル投入口の正面図である。
【図３】回動遊技機のメダル投入口の中央側面断面図である。
【図４】メダル投入阻止部材の実施例１である。
【図５】メダル投入阻止部材を取り付けたメダル投入口の透過正面図である。
【図６】メダル投入阻止部材の実施例２である。
【図７】メダル投入阻止部材の実施例３である。
【図８】メダル投入口に実施例３のメダル阻止部材を取り付けた縦断面図である。
【図９】メダル投入阻止部材の実施例４である。
【図１０】メダル投入口に実施例４のメダル阻止部材を取り付けた縦断面図である。
【符号の説明】
【００３３】
１  筐体
２  硬貨投入口
３  回動遊技機
４  ベース体
５  メダル投入口
６  背壁
７  ガイド部
８ 前傾斜壁
９ 台座部
１０ 開口
１１  メダル通路
１２  排出口+-
１３  長孔
２０  メダル投入阻止部材
２１  頭部
２２  首部
２３  脚部
２４  係留部
２５  先細部
３０  メダル投入阻止部材
４０  メダル投入阻止部材
５０  メダル投入阻止部材
【図１】
2006314413.tif 000003
【図２】
2006314413.tif 000004
【図３】
2006314413.tif 000005
【図４】
2006314413.tif 000006
【図５】
2006314413.tif 000007
【図６】
2006314413.tif 000008
【図７】
2006314413.tif 000009
【図８】
2006314413.tif 000010
【図９】
2006314413.tif 000011
【図１０】
2006314413.tif 000012